(57)【要約】【課題】同じく滑車等の構成部材を省略し、電動モーターにより駆動される回転軸を固定基枠内に横方向に軸支した電動昇降ボード装置であって、吊下げバランスが崩れる原因となる「伸び」を解消できるとともに、特別なウインチドラムを用いることなく巻取り、引き出し時の左右への移動がなく、摺動案内部を簡易な構造とすることができ、大幅なコストダウン、軽量化を図ることができる電動昇降ボード装置を提供せんとする。【解決手段】固定基枠２に取付フレーム３を構成する縦杆３１を上下に摺動自在に支持する摺動受け部６を設け、回転ドラム４を横方向に軸支し、所定幅を有する長尺シート５の一端部を回転ドラム４に巻取り可能に固定し、且つ他端部５２を取付フレーム３の下桟３０Ｂに固定したものであり、長尺シート５として、映写スクリーン生地の端材を用いた。【選択図】図１
2010208054.tif 000002
【特許請求の範囲】
【請求項１】
壁面に固定される固定基枠に対し、黒板又は白板のボードが取り付けられる取付フレームを上下昇降可能に支持してなる電動昇降ボード装置において、
前記固定基枠に、前記取付フレームを構成する縦杆を上下に摺動自在に支持する摺動受け部を設け、
電動モーターにより駆動される回転ドラムを横方向に軸支し、
所定幅を有する長尺シートの一端部を前記回転ドラムに巻取り可能に固定し、且つ他端部を前記取付フレームを構成する下側の横フレームに固定し、
当該長尺シートを介して前記取付フレーム及びボードの荷重を支持するとともに、
前記回転ドラムを回転させて長尺シートを巻き取ることにより前記取付フレーム及びボードを上昇させ、
前記回転ドラムを逆方向に回転させて長尺シートを引き出すことにより前記取付フレーム及びボードを下降させる電動昇降ボード装置。
【請求項２】
前記長尺シートが、繊維生地シート、合成樹脂シート、又は繊維生地に合成樹脂を積層した複合シートである請求項１記載の電動昇降ボード装置。
【請求項３】
前記長尺シートとして、映写スクリーン生地の端材を用いてなる請求項１又は２記載の電動昇降ボード装置。
【発明の詳細な説明】
【技術分野】
【０００１】
本発明は、黒板又は白板のボードを電動で昇降させることのできる電動昇降ボード装置に関する。
【背景技術】
【０００２】
この種の電動昇降ボード装置としては、従来、壁面に固定される固定基枠に対し、黒板等の取付フレームを上下昇降させる構造のものが種々提案されており、複数の滑車或いはスプロケット、カウンターウエイト、補助バネ、ウインチドラム、これらに複雑に係止されたワイヤーやロープ、チェーンが固定基枠内に設けられ、ワイヤー等の一端を取付フレームに固定して当該ワイヤー等を介して取付フレーム及び黒板を昇降させる構造のものが提案されている（例えば、特許文献１〜３参照。）。このような複雑な機構は、固定基枠の前後厚みを大きくできないことが理由であり、複雑であることから製造コスト、メンテナンスコストがかかり、またワイヤー等が長いことから使用により伸びると左右の吊下げバランスが崩れ、昇降動作に支障が生じやすい構造であった。
【０００３】
これに対し、上記滑車等の構成部材を少なくでき、しかも限られた固定基枠内の空間に収納できる上下昇降機構として、電動モーターにより駆動される回転軸を固定基枠内に横方向に軸支し、この回転軸上にワイヤーやベルトを巻き取るためのウインチドラムを装着し、下方に延出しているワイヤー等の先に取付フレームを固定することにより、当該回転軸を回転制御して取付フレームを昇降動作させることができる構造の装置が提案されている（例えば、特許文献４、５参照。）。このような装置によれば、ワイヤー等を固定基枠内で滑車等を介して複雑に組み込むことが不要となり、ワイヤー等の長さも必要最小限に抑え、コストダウンを図ることができる。
【０００４】
しかしながら、このような装置においても、長期使用によるワイヤーやベルトの伸びが生じ、左右の吊下げバランスが崩れるという問題は生じる。また、ワイヤーやベルトで取付フレームを吊下げる構造のため、当該取付フレームを固定基枠に対して昇降自在に摺動案内する案内部には相応の力が作用することになり、特に上記伸びによる吊下げバランスの崩れが生じると案内部への力もその分加重されてしまい、取付フレームの上下昇降がスムーズに行われなくなる虞があり、これを回避するためには、前記摺動案内部にベアリング装置等の高価な摺動受け部材を組み込むことが必要となる。また、ワイヤー等の伸びの有無にかかわらず、これらワイヤーやベルトを巻き取るウインチドラムにおいてワイヤーやベルトを左右に移動させることなく安定して巻き取ることのできる特別な構造を採用しないかぎり、昇降動作の度に摺動案内部に左右方向への不要な力が作用してしまい、摺動案内部が劣化・破損しやすくなり、スムーズな昇降動作を長期にわたり維持することが困難となる。更に、これらワイヤー等を巻き取るウインチドラムには取付フレームと黒板の荷重が集中するため、重厚な専用のウインチドラムを十分な強度を有する回転軸に装着する必要があり、重量化やコストアップの原因にもなる。
【先行技術文献】
【特許文献】
【０００５】
【特許文献１】実開昭６０−１６４０８５号公報
【特許文献２】実開平５−４１８８９号公報
【特許文献３】特開２００５−１６８７８７号公報
【特許文献４】特開昭６０−４０９８号公報
【特許文献５】特許第３５１５９２９号公報
【発明の概要】
【発明が解決しようとする課題】
【０００６】
そこで、本発明が前述の状況に鑑み、解決しようとするところは、同じく滑車等の構成部材を省略し、電動モーターにより駆動される回転軸を固定基枠内に横方向に軸支した電動昇降ボード装置であって、吊下げバランスが崩れる原因となる「伸び」を解消できるとともに、特別なウインチドラムを用いることなく巻取り、引き出し時の左右への移動がなく、摺動案内部を簡易な構造とすることができ、大幅なコストダウン、軽量化を図ることができる電動昇降ボード装置を提供する点にある。
【課題を解決するための手段】
【０００７】
本発明は、前述の課題解決のために、壁面に固定される固定基枠に対し、黒板又は白板のボードが取り付けられる取付フレームを上下昇降可能に支持してなる電動昇降ボード装置において、前記固定基枠に、前記取付フレームを構成する縦杆を上下に摺動自在に支持する摺動受け部を設け、電動モーターにより駆動される回転ドラムを横方向に軸支し、所定幅を有する長尺シートの一端部を前記回転ドラムに巻取り可能に固定し、且つ他端部を前記取付フレームを構成する下側の横フレームに固定し、当該長尺シートを介して前記取付フレーム及びボードの荷重を支持するとともに、前記回転ドラムを回転させて長尺シートを巻き取ることにより前記取付フレーム及びボードを上昇させ、前記回転ドラムを逆方向に回転させて長尺シートを引き出すことにより前記取付フレーム及びボードを下降させる電動昇降ボード装置を構成した（請求項１）。
【０００８】
ここで、前記長尺シートが、繊維生地シート、合成樹脂シート、又は繊維生地に合成樹脂を積層した複合シートであることが好ましい（請求項２）。
【０００９】
また、前記長尺シートとして、映写スクリーン生地の端材を用いることが好ましい（請求項３）。
【発明の効果】
【００１０】
以上にしてなる本願発明に係る電動昇降ボード装置は、所定幅を有する長尺シートを回転ドラムに巻取り、先端を取付フレームに固定して昇降させる構造であるので、ワイヤーやベルトに比べて長手方向の伸びを小さくすることが可能であり、左右吊下げバランスが崩れるという問題を解消することが容易となる。また、所定幅の長尺シートを巻き付ける際には複数重ねて安定して巻き付けることが可能となるため、ワイヤーやベルトに比べて巻き付け、引き出し時の左右へのズレが格段に少なく、また集中荷重もかからないため、左右へのズレを防止するための重厚なウインチドラムを特別に設けることも不要であり、回転ドラムに長尺シートを巻き付けるだけのシンプルな構造で安定した昇降動作を実現でき、固定基枠と取付フレームの摺動受け部についても、ベアリング等の高価な摺動受け部材を組み込む必要がなく、簡易な構造とすることができる。このように、本発明の装置では、長期間安定した昇降動作を維持できるとともに、大幅なコストダウン及び軽量化を図ることができる。特に、長尺シートとして、映写スクリーン生地の端材を用いれば、更なるコストダウンを図ることができる。
【図面の簡単な説明】
【００１１】
【図１】本発明の代表的実施形態に係る電動昇降ボード装置のボードを省略した斜視図。
【図２】同じく電動昇降ボード装置の下降姿勢を示す正面図。
【図３】同じく縦断面図。
【図４】同じく電動昇降ボード装置の上昇姿勢を示す正面図。
【図５】同じく縦断面図。
【図６】摺動受け部を示す要部の説明図。
【図７】長尺シートを３枚にした変形例を示す斜視図。
【図８】摺動受け部の変形例を示す説明図。
【図９】ボード取付部の要部を示す説明図。
【発明を実施するための形態】
【００１２】
次に、本発明の実施形態を添付図面に基づき詳細に説明する。
【００１３】
図１は、本発明に係る電動昇降ボード装置のうちボードを省略した斜視図であり、図１〜６は代表的実施形態を示し、図中符号１は電動昇降ボード装置、２は固定基枠、３は取付フレーム、４は回転ドラム、５は長尺シート、６は摺動受け部をそれぞれ示している。
【００１４】
本発明の電動昇降ボード装置１は、図１〜３に示すように、壁面に固定される固定基枠２に対し、黒板又は白板のボード８が取り付けられる取付フレーム３を、上下方向に昇降可能に支持したものであり、特に本発明においては、固定基枠２に対して前記取付フレーム３を上下昇降させる手段として、回転ドラム４に巻取り可能な所定幅の長尺シート５が用いられ、これにより左右吊下げバランスが崩れるという問題を解消し、特別な摺動受け部材やウインチドラムも不要とし、簡易な構造で安定した昇降動作を可能としたことを特徴としている。
【００１５】
ボード８を取り付ける取付フレーム３は、横方向に延びる上桟３０Ａ及び下桟３０Ｂと、これら上下の桟を側端部において上下に互いに連結する左右の縦杆３１、３１とより構成され、上桟３０Ａと下桟３０Ｂの左右端部間にそれぞれ縦杆３１、３１が上下に架設されることで全体として略矩形形状に構成されている。上桟３０Ａと下桟３０Ｂは、いずれも断面視略コ字状に形成された金属製の板材であり、それぞれ略コ字状断面の凹部を内側に向けて上下に配置されている。また、これらを上下連結している左右の縦杆３１、３１は、円筒パイプ状または円柱状の金属製の棒体であり、その上下端部がそれぞれ上桟３０Ａ，下桟３０Ｂの前記凹部の底面に取付ネジ３５，３５にて固定されている。本例では取付フレーム３の各構成部材を金属製としたが、合成樹脂製や木製その他の材料を、全部又は一部に採用することも勿論可能である。
【００１６】
縦杆３１、３１は、後述するように固定基枠２の摺動受け部６、６に挿通され、上下に摺動自在に支持されるものであり、ボード８は直接は固定されない。ボード８は、上桟３０Ａ、下桟３０Ｂに対して固定されている。具体的には、上桟３０Ａ（下桟３０Ｂ）の上面に穿設されたネジ孔３０ａを利用して、図３及び図９に示すように平板状のブラケット片３９を取付ボルト４０で取り付けて前方に突出させ、突出部をボード８の上枠８１（下枠８２）に取付ネジ８３で固定することによりボード８が支持されている。
【００１７】
尚、本例ではこのように上桟３０Ａ及び下桟３０Ｂによりボード８を支持しているが、同じく支持用の縦フレームを前記縦杆３１とは別に構成してもよい。すなわち、縦杆３１よりも外側の位置で且つ固定基枠２にも緩衝しない端部の位置に、縦フレームを上下に架設し、該縦フレームによりボード８の縦枠を更に支持するように構成することも可能である。また、縦杆３１、３１の間の内側の位置であっても、固定基枠２よりも前方に縦フレームを上下に架設することにより、固定基枠２に緩衝することなく縦フレームを設けることが可能である。ただし、軽量化の観点からはできるだけフレーム部材は省略することが好ましく、ボード８の構造とも関係するが、十分な強度が維持できるのであれば図示したものが好ましい構造となる。
【００１８】
また、本例では、上桟３０Ａ，３０Ｂを断面視略コ字状に形成し、軽量化を図りつつ必要な強度を維持しているが、その他の断面形状に構成することも勿論可能である。ただし、特に下桟３０Ｂについては、後述するように本例では長尺シート５の下端部５２を固定する固定用ロール３３や取付ブラケット３２が設けられることから、図示したように略コ字状に形成することで、その凹部内にこれら部材を収納でき、美観の維持、管理上のトラブル（破損等）の防止、強度維持を図ることができることから好ましい構造となっている。また、同じく左右の縦杆３１についても、円筒パイプ状または円柱状として固定基枠２側の摺動受け部６、６の筒状内周面に外面が摺動案内されるように構成しているが、摺動受け部６、６の構成と関連付けることを条件に、その他の形状にすることも勿論可能である。
【００１９】
固定基枠２は、左右に配置された縦方向の側板２１、２１と、その上端間に横方向に架設される断面視略コ字状の上フレーム２０Ａと、側板２１の下端部から前記上フレーム２０Ａと略平行に内側に所定距離だけ延設される下側ガイド板２０Ｂ、２０Ｂと、これら下側ガイド板２０Ｂ、２０Ｂの間に、後述する長尺シート５に緩衝しない位置を横方向に前記上フレーム２０Ａと略平行に架設される下フレーム２２とより基本骨格部分が形成されており、側板２１、上フレーム２０Ａ及び下側ガイド板２０Ｂは、いずれも断面視略コ字状に形成された金属製の板材よりなり、下フレーム２２は断面略ロ字状の金属製の筒材より構成されている。側板２１の壁面側の後端部には、略Ｌ字状に屈曲して延びるフランジ部２７が設けられており、当該フランジ面に穿設した固定ボルト用孔２７ａを用いて当該固定基枠２が壁面にボルト止めされる。符号２５は上フレーム２０Ａと下側ガイド板２０Ｂを縦方向に連結して補強する補強フレームである。
【００２０】
上フレーム２０Ａの左右両端部には、取付フレーム３の縦杆３１を上下に摺動自在に支持する摺動受け部６、６が設けられ、左右の各下側ガイド板２０Ｂにも、それぞれ上フレーム２０Ａの左右両端部と同軸状に同様の摺動受け部６が設けられ、左右の縦杆３１、３１はそれぞれ左右の上フレーム２０Ａの摺動受け部６、下側ガイド板２０Ｂの摺動受け部６の２箇所で上下摺動可能に支持されている。具体的には、摺動受け部６は縦杆３１を挿通する扁平筒状の合成樹脂製の係止キャップ６０であり、その内周面が縦杆３１の外周面に微小隙間を介して摺動案内するガイドとして機能し、図６に示すように上フレーム２０Ａ及び下側ガイド板２０Ｂに同軸状に形成された取付孔２３、２４にそれぞれ装着される。
【００２１】
係止キャップ６０は、取付孔２３、２４に係止される係止爪６０ａが設けられ、容易に外れない完全な装着状態が維持されている。本発明の装置では長尺シート５で枠フレーム３を昇降させる構造であるため、当該枠フレーム３の左右ブレが殆ど生じず、この係止キャップ６０が縦杆３１から受ける外力は、従来のワイヤー式等に比べて非常に小さい。したがって、従来のようなベアリング等の複雑高価な摺動受け部材を用いる必要がなく、本例においては上記のとおり合成樹脂製の扁平筒状キャップを用いることができるのである。本例では、合成樹脂製としたが、勿論金属製その他の材料からなる部材でもよい。また、図８に示すように上下に分けて取り付けるのではなく一体のものを取り付けてもよい。更に、取付孔２３、２４の代わりに縦杆３１をスムーズに摺動案内できるように開口部をアール状にする等の工夫をした孔とすることにより、本例の係止キャップ６０のような別途摺動受け部材を装着することも省略することが可能となる。
【００２２】
上フレーム２０Ａの左右両端部における前記摺動受け部６より内側の位置には、回転ドラム４を軸支する支持ブラケット２６、２６が下方に突設されており、これら支持ブラケット２６、２６間に電動モーター７で駆動される回転ドラム４が横方向に軸支されている。回転ドラム４には、所定幅を有する長尺シート５の一端部５１が巻取り可能に固定されており、該長尺シート５の他端部５２が上記した取付フレーム３の下桟３０Ｂに固定され、該長尺シート５により取付フレーム３及びボード８の荷重が支持される。長尺シート５としては、薄手の繊維生地シートや合成樹脂シート、又は繊維生地に合成樹脂を積層した複合シートが好適であり、具体的には映写スクリーン生地の端材を活用することが好ましい。
【００２３】
長尺シート５の他端部５２を下桟３０Ｂに固定する構造については、略Ｌ字状の取付ブラケット３２が上側に開口した略コ字状の下桟３０Ｂの内面底部に上向きに突出して設けるとともに、筒状の固定用ロール３３に長尺シート５の他端部５２を数回巻き付けた状態で、当該固定用ロール３３を前記取付ブラケット３２と下桟３０Ｂの後壁との間に形成される隙間に挟み込み、取付ブラケット３２と固定用ロール３３と下桟３０Ｂ後壁を貫通した固定用ボルト３４を固定用ナット３６で締めこむことにより、簡易な構造で確実に、且つ長尺ロール５に負担を掛けることなく安定した状態に固定されている。
【００２４】
本例では、２本の長尺シート５、５がそれぞれ回転ドラム４の左右両端側に寄せて固定されており、当該２本の長尺シート５、５により取付フレーム２をバランスよく支持している。各長尺シート５の左右幅は、支持する取付フレーム２やボード８の重さ、長尺シートの数等に応じて適宜設定すればよく、ボードの大きさにもよるが、スクリーン生地の端材を用いた場合、概ね１００ｍｍ〜３００ｍｍ、好ましくは１５０〜２５０ｍｍに設定される。
また、図７に示すように回転ドラム４の中央部に更に１本の長尺シートを追加したものや、合計で４本以上の長尺シートを設けたもの、或いは、幅広の長尺シートを１本のみ設けたものでも良い。本例ではガラス繊維からなる繊維生地を前後の合成樹脂層（例えばＰＶＣシート）で挟み込んだシートを採用した複合シートを左右２本組み込んだものとされている。
【００２５】
そして、例えば図２及び図３に示すようにボード８が最も下まで下降している下降状態から、回転ドラム４を回転させ、長尺シート５、５を当該回転ドラム４に巻き取ることにより、取付フレーム３及びボード８が長尺シート５、５と一緒に上昇し、図４及び図５に示すようなボード８が最も上まで上昇した上昇状態まで移動可能とされている。また、この上昇状態から、回転ドラム４を逆方向に回転させ、長尺シート５、５を当該回転ドラム４から下方に送り出すことにより、取付フレーム３及びボード８が長尺シート５、５と一緒に下降し、図２及び図３の下降状態まで移動可能とされている。
【００２６】
ボード８の高さ位置は、回転ドラム４の駆動モーターの回転数により制御することができ、操作一つで下降状態と上昇状態を切り替えできるように構成してもよいし、任意の途中位置で止められるように構成してもよい。この回転ドラム４による昇降機構の制御については、長尺シート５の巻き付け、送出（巻き下げ）の制御であることから、従来から公知の映写スクリーンにおけるスクリーン生地の巻き上げ、送出機構をそのまま応用することが可能であり、既存の映写クスリーン用の回転ドラム、長尺シートとして映写スクリーンの端材を用い、赤外リモコン式の制御を行うなど、利便性が高く、信頼性のある昇降制御機構が実現できる。
【００２７】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００２８】
Ｗ  壁面
１  電動昇降ボード装置
２  固定基枠
３  取付フレーム
４  回転ドラム
５  長尺シート
６  摺動受け部
７  電動モーター
８  ボード
２０Ａ  上フレーム
２０Ｂ  下側ガイド板
２１  側板
２２  下フレーム
２３，２４  取付孔
２５  補強フレーム
２６  支持ブラケット
２７  フランジ部
２７  固定ボルト用孔
３０Ａ  上桟
３０Ｂ  下桟
３０ａ  ネジ孔
３１  縦杆
３２  取付ブラケット
３３  固定用ロール
３４  固定用ボルト
３５  取付ネジ
３６  固定用ナット
３７，３８  前面
３９  ブラケット片
４０  取付ボルト
５１，５２  端部
８０  ボード面
８１  上枠
８２  下枠
８３  取付ネジ
【図１】
2010208054.tif 000003
【図２】
2010208054.tif 000004
【図３】
2010208054.tif 000005
【図４】
2010208054.tif 000006
【図５】
2010208054.tif 000007
【図６】
2010208054.tif 000008
【図７】
2010208054.tif 000009
【図８】
2010208054.tif 000010
【図９】
2010208054.tif 000011